(57)【要約】【課題】  施工後の間仕切り壁の沈み込みが生じ難いだけでなく、地震が起きた際の支持脚のズレや内装上の問題も防止することができ、しかも、リフォームを簡単かつ低コストで行える二重床システムの間仕切り工法を提供すること。【解決手段】  フロアスペースＦに置床ユニット１・１…を敷き詰めて配置する一方、間仕切りスペースＰには軸方向の剛性が大きい壁受け用支持脚２・２…を配置して、台座部21をスラブＳに固着した後、天板22・22…上にベース板３・３…を載置して、当該ベース板３の段差部32上面と前記置床ユニット１の床パネル11上面とをほゞ水平に配置し、更にこれら床パネル11及び段差部32の上面に下地パネル４・４…を敷設してそれぞれを止着部材Ｎ・Ｎ…で固定すると共に、前記ベース板３・３…の中央部31上に間仕切り壁５・５を立設して施工を行うようにした。【選択図】  図１
2014114657.tif 000002
【特許請求の範囲】
【請求項１】
間仕切りスペース(Ｐ)を挟んで形成されるフロアスペース(Ｆ)(Ｆ)に、床パネル(11)とゴム座(12a)付きの支持脚(12)が一体となった置床ユニット(１)(１)…を敷き詰めて配置する一方、前記間仕切りスペース(Ｐ)には、非ゴム製の台座部(21)及び天板部(22)を上下に備え、かつ、軸方向の剛性が前記置床ユニット(１)の支持脚(12)よりも大きい壁受け用支持脚(２)(２)…を配置して、台座部(21)をスラブ(Ｓ)に固着した後、天板(22)(22)…上に、両側に中央部(31)よりも厚みの小さい段差部(32)(32)が形成された帯板状のベース板(３)(３)…を載置して、当該ベース板(３)の段差部(32)上面と前記置床ユニット(１)の床パネル(11)上面とをほゞ水平に配置し、
更にこれら床パネル(11)及び段差部(32)の上面に下地パネル(４)(４)…を敷設して、下地パネル(４)と床パネル(11)及び下地パネル(４)と段差部(32)をそれぞれ止着部材(Ｎ)(Ｎ)…で固定すると共に、前記ベース板(３)(３)…の中央部(31)上に間仕切り壁(５)(５)を立設して施工を行うことを特徴とする二重床システムの間仕切り工法。
【請求項２】
間仕切りスペース(Ｐ)を挟んで形成されるフロアスペース(Ｆ)(Ｆ)に、ゴム座(61)及び床受け天板(62)を有する床受け用支持脚(６)を配置すると共に、際根太(Ｊ)と床受け用支持脚(６)上に床下地パネル(７)を敷設して、床下地パネル(７)と際根太(Ｊ)および床下地パネル(７)と床受け天板(62)を止着部材(Ｎ)(Ｎ)…で固定する一方、
前記間仕切りスペース(Ｐ)には、上下に非ゴム製の台座部(21)及び天板部(22)を備え、かつ、軸方向の剛性が前記床受け用支持脚(６)よりも大きい壁受け用支持脚(２)(２)…を配置して、台座部(21)とスラブ(Ｓ)を固着した後、天板(22)(22)…上に、両側に中央部(31)よりも厚みの小さい段差部(32)(32)が形成された帯板状のベース板(３)(３)…を載置して、当該ベース板(３)の段差部(32)上面と前記床受け用支持脚(６)の床受け天板(62)上面とをほゞ水平に配置し、
更にこれら床受け天板(62)及び段差部(32)の上面に床下地パネル(７)(７)…を敷設して、床下地パネル(７)と床受け天板(62)及び床下地パネル(７)と段差部(32)をそれぞれ止着部材(Ｎ)(Ｎ)…で固定すると共に、前記ベース板(３)(３)…の中央部(31)上に間仕切り壁(５)(５)を立設して施工を行うことを特徴とする二重床システムの間仕切り工法。
【請求項３】
ベース板(３)の長手方向の一端に、中央部(31)の段差部(32)よりも上側のみが突き出した突出部(31a)を設けると共に、他端には、中央部(31)を段差部(32)と同じ厚さにした切欠部(31b)を設けて、複数のベース板(３)(３)…を、間仕切りスペース(Ｐ)に長手方向或いは直角方向に合决り状に継ぎ合わせて配置することを特徴とする請求項１または２に記載の二重床システムの間仕切り工法。
【請求項４】
請求項１に記載された下地パネル(４)或いは請求項２に記載された床下地パネル(７)をベース板(３)の段差部(32)に止着部材(Ｎ)(Ｎ)…で固定する際、隣接配置されたベース板(３)(３)…の継合箇所に対して、段差部(32)(32)同士の境目を挟む近接した位置に止着部材(Ｎ)(Ｎ)を打ち込むことを特徴とする請求項３記載の二重床システムの間仕切り工法。
【請求項５】
間仕切りスペース(Ｐ)におけるベース板(３)(３)…の継合箇所の真下またはその近傍位置に壁受け用支持脚(２)(２)…を配置することを特徴とする請求項３または４記載の二重床システムの間仕切り工法。
【請求項６】
接地面に多数の貫通孔(21a)(21a)…または凹部を有する台座部(21)を備えた壁受け用支持脚(２)を使用して、前記貫通孔(21a)(21a)…または凹部に接着剤が入り込むように、台座部(21)をスラブ(Ｓ)に接着することを特徴とする請求項１〜５の何れか一つに記載の二重床システムの間仕切り工法。
【発明の詳細な説明】
【技術分野】
【０００１】
本発明は、二重床システムの間仕切り工法の改良、詳しくは、施工後の間仕切り壁の沈み込みが生じ難いだけでなく、地震が起きた際の支持脚のズレや内装上の問題も防止することができ、また間仕切り壁の構築を支持脚上に正確に行うことも可能で、しかも、リフォームを簡単かつ低コストで行える二重床システムの間仕切り工法に関するものである。
【背景技術】
【０００２】
周知のとおり、多くの建築物では、床下に電気配線等を通し易くするために、また下階への騒音を低減するために二重床システムを採用することが多い。また、二重床システムの施工方法としては、まずフロアスペースを間仕切り壁で仕切ってから、仕切られた各スペースに二重床を施工する方法が一般的である。
【０００３】
しかし、上記のように間仕切り壁の構築後に二重床を施工する方法を採用すると、間仕切り壁の撤去と再構築を行う際に既設の二重床を一度解体しなければならないため、間仕切りの位置を少し変えるだけのリフォームでも、改装作業にかかる手間やコストが大きくなる。そのため、室内リフォームを気軽に行うことが難しくなる。
【０００４】
一方、従来においては、先に二重床を施工してから、床パネル上に間仕切り壁を構築する方法も存在するが、一般的な二重床システムでは、床受け用支持脚にゴム座を備えたものを使用しているため、床パネル上に重量の大きい間仕切り壁を載せると、ゴム座が変形して施工後に間仕切り壁の沈み込みが生じ易くなる。
【０００５】
そこで、従来においては、間仕切り壁の下方にゴム座を有しない剛性の高い支持脚を配置する方法も提案されているが(特許文献１,２参照)、これらの方法では、間仕切り壁を構築する際、床パネルや下地材によって壁受け用の支持脚がどこに配置されているのかが分かり難くなるため、間仕切り壁を支持脚上に正確に立設することが難しい。
【０００６】
また、上記従来の施工方法では、間仕切り壁の位置を変更するリフォームを行う際、間仕切り壁の下方に敷設された床パネルや下地材を切断しなければならないため、改装作業も非効率になり易い。しかも、切断した床パネルや下地材は再使用できないため、新しいパネル材を購入するための費用分、施工コストも高く付く。
【０００７】
他方、従来においては、間仕切りスペースに配置した壁受け用支持脚上に、長板状のベース板を床パネルと水平に配置して、このベース板上に間仕切り壁を構築する方法も公知となっているが(特許文献３,４参照)、これらの方法では、壁受け用支持脚がスラブに固定されていないため、地震時に壁受け用支持脚が左右にズレ易い。
【０００８】
また、上記従来の施工方法では、水平に配置されたベース板と床パネルを連結していないため、バラバラの状態の床パネルや間仕切り壁が、地震等で支持脚ごと上下に跳ねたり左右に揺れたりする現象が起き易い。そしてこの現象によって、化粧床材にヒビが入ったりクロスに皺が寄ったりする等、内装上の問題が生じる。
【先行技術文献】
【特許文献】
【０００９】
【特許文献１】特開平１１−２１０２０４号公報
【特許文献２】特開２００５−２９０７０８号公報
【特許文献３】特開２０００−２７４１６号公報
【特許文献４】特開２００５−９７９０１号公報
【発明の概要】
【発明が解決しようとする課題】
【００１０】
本発明は、上記の如き問題に鑑みて為されたものであり、その目的とするところは、施工後の間仕切り壁の沈み込みが生じ難いだけでなく、地震が起きた際の支持脚のズレや内装上の問題も防止することができ、また間仕切り壁の構築を支持脚上に正確に行うことも可能で、しかも、リフォームを簡単かつ低コストで行える二重床システムの間仕切り工法を提供することにある。
【課題を解決するための手段】
【００１１】
本発明者が上記課題を解決するために採用した手段を添付図面を参照して説明すれば次のとおりである。
【００１２】
即ち、本発明における二重床システムの間仕切り工法では、間仕切りスペースＰを挟んで形成されるフロアスペースＦ・Ｆに、床パネル11とゴム座12a付きの支持脚12が一体となった置床ユニット１・１…を敷き詰めて配置する一方、前記間仕切りスペースＰには、非ゴム製の台座部21及び天板部22を上下に備え、かつ、軸方向の剛性が前記置床ユニット１の支持脚12よりも大きい壁受け用支持脚２・２…を配置して、台座部21をスラブＳに固着した後、天板22・22…上に、両側に中央部31よりも厚みの小さい段差部32・32が形成された帯板状のベース板３・３…を載置して、当該ベース板３の段差部32上面と前記置床ユニット１の床パネル11上面とをほゞ水平に配置し、
更にこれら床パネル11及び段差部32の上面に下地パネル４・４…を敷設して、下地パネル４と床パネル11及び下地パネル４と段差部32をそれぞれ止着部材Ｎ・Ｎ…で固定すると共に、前記ベース板３・３…の中央部31上に間仕切り壁５・５を立設して施工を行うようにした点に特徴がある。
【００１３】
また本発明では、上記方法に替えて、上記間仕切りスペースＰを挟んで形成されるフロアスペースＦ・Ｆに、ゴム座61及び床受け天板62を有する床受け用支持脚６を配置すると共に、際根太Ｊと床受け用支持脚６上に床下地パネル７を敷設して、床下地パネル７と際根太Ｊおよび床下地パネル７と床受け天板62を止着部材Ｎ・Ｎ…で固定する一方、
前記間仕切りスペースＰには、上下に非ゴム製の台座部21及び天板部22を備え、かつ、軸方向の剛性が前記床受け用支持脚６よりも大きい壁受け用支持脚２・２…を配置して、台座部21とスラブＳを固着した後、天板22・22…上に、両側に中央部31よりも厚みの小さい段差部32・32が形成された帯板状のベース板３・３…を載置して、当該ベース板３の段差部32上面と前記床受け用支持脚６の床受け天板62上面とをほゞ水平に配置し、
更にこれら床受け天板62及び段差部32の上面に床下地パネル７・７…を敷設して、床下地パネル７と床受け天板62及び床下地パネル７と段差部32をそれぞれ止着部材Ｎ・Ｎ…で固定すると共に、前記ベース板３・３…の中央部31上に間仕切り壁５・５を立設して施工する方法を採用することもできる。
【００１４】
また、上記ベース板３・３…については、ベース板３の長手方向の一端に、中央部31の段差部32よりも上側のみが突き出した突出部31aを設けると共に、他端には、中央部31を段差部32と同じ厚さにした切欠部31bを設けて、複数のベース板３・３…を、間仕切りスペースＰに長手方向或いは直角方向に合决り状に継ぎ合わせて配置することよって、隣接するベース板３・３同士のズレを抑制することができる。
【００１５】
また更に、上記下地パネル４或いは床下地パネル７をベース板３の段差部32に止着部材Ｎ・Ｎ…で固定する際には、隣接配置されたベース板３・３…の継合箇所に対して、段差部32・32同士の境目を挟む近接した位置に止着部材Ｎ・Ｎを打ち込むことで、ベース板３・３同士をより強固に連結することができる。
【００１６】
そしてまた、上記壁受け用支持脚２・２…を、間仕切りスペースＰにおけるベース板３・３…の継合箇所の真下またはその近傍位置に配置すれば、ベース板３・３同士の継合箇所に撓み方向の負荷がかかり難くなるため、耐久性を向上できる。
【００１７】
また、上記接地面に多数の貫通孔21a・21a…または凹部を有する台座部21を備えた壁受け用支持脚２を使用して、前記貫通孔21a・21a…または凹部に接着剤が入り込むように、台座部21をスラブＳに接着すれば、アンカー効果によって壁受け用支持脚２とスラブＳの接着強度を高めることができる。
【発明の効果】
【００１８】
本発明では、フロアスペースに置床ユニットを敷き詰めると共に、間仕切りスペースに壁受け用支持脚を配置して、この壁受け用支持脚上に帯板状のベース板を載置する一方、このベース板上に沿って間仕切り壁を立設する方法を採用したことにより、壁受け用支持脚の位置をベース板によって把握することができるため、間仕切り壁を支持脚上に正確に構築することが可能となる。
【００１９】
また本発明では、上記ベース板の両側に形成された段差部と置床ユニットの床パネルの上面に下地パネルを敷設して、これらを止着部材で連結する方法を採用しており、これによってベース板と床パネルを一体化することができるため、地震等が起きた際でも、床パネルやベース板上の間仕切り壁が上下に跳ねたり、左右に揺れたりする心配がなく、内装上の問題も解消できる。
【００２０】
しかも、本発明では、壁受け用支持脚の台座部とスラブを固着しているため、地震等で壁受け用支持脚が左右にズレる心配もない。また、壁受け用支持脚には、非ゴム製の台座部を備え、かつ、置床ユニットの支持脚よりも軸方向の剛性が大きいものを使用しているため、施工後に間仕切り壁が沈み込む問題も生じない。
【００２１】
他方また、リフォーム時においては、上記下地パネルとベース板、及び下地パネルと床パネルを固定している止着部材を外すだけで、置床ユニット及びベース板の再配置を行うことができるため、間仕切り壁の位置を変更するリフォームも簡単に行うことができる。また、取り外した下地パネル等も再利用できるため、施工コストも低減できる。
【００２２】
したがって、本発明により、二重床システムの施工作業を効率的に行えるだけでなく、構造的に安定な二重床システムを構築することができ、しかも、施工後のリフォームも気軽に行える実用性に優れた二重床システムの間仕切り工法を提供できることから、本発明の実用的利用価値は頗る高い。
【図面の簡単な説明】
【００２３】
【図１】本発明の実施例１における二重床システムの間仕切り構造を表わす全体側面図である。
【図２】本発明の実施例１における二重床システムの構成部材を表わす全体斜視図である。
【図３】本発明の実施例１における壁受け用支持脚を表わす側面図及び全体斜視図である。
【図４】本発明の実施例１における二重床システムの施工手順を表わす側面図及び平面図である。
【図５】本発明の実施例１における二重床システムの施工手順を表わす側面図及び平面図である。
【図６】本発明の実施例１における二重床システムの施工手順を表わす側面図及び平面図である。
【図７】本発明の実施例１における二重床システムの施工手順を表わす側面図及び平面図である。
【図８】本発明の実施例２における二重床システムの間仕切り構造を表わす側面図である。
【図９】本発明の実施例２における二重床システムの施工手順を表わす側面図及び平面図である。
【図１０】本発明の実施例２における二重床システムの施工手順を表わす側面図及び平面図である。
【発明を実施するための形態】
【００２４】
『実施例１』
まず本発明の実施例１について、図１から図７に基いて以下に説明する。なお同図において、符号１で指示するものは、置床ユニットであり、符号２で指示するものは、壁受け用支持脚である。また符号３で指示するものは、ベース板であり、また符号４で指示するものは、下地パネルである。また符号５で指示するものは、間仕切り壁である。
【００２５】
［二重床システムの間仕切り構造］
この実施例１では、二重床システムを、フロアスペースＦ・Ｆに敷き詰めて配置された置床ユニット１・１…と、間仕切りスペースＰに配置された壁受け用支持脚２と、壁受け用支持脚２上に配置されたベース板３と、置床ユニット１・１…及びベース板３上に敷設された下地パネル４・４…と、ベース板上に立設された間仕切り壁５・５とから構成している(図１参照)。
【００２６】
また、上記置床ユニット１には、図２に示す床パネル11の四隅にゴム座12a付きの支持脚12備えたものを使用している。また、上記壁受け用支持脚２には、図３に示す非ゴム製の台座部21及び天板部22を上下に備え、かつ、軸方向の剛性が置床ユニット１の支持脚12よりも大きいものを使用している。なお本実施例では、上記壁受け用支持脚２をプラスチック材料から作製している。
【００２７】
また本実施例では、上記壁受け用支持脚２を、台座部21側のパーツと天板部22側のパーツとに分割すると共に、天板部22側のパーツにアジャストボルト23を、台座部21側のパーツにナット部を設けて、アジャストボルト23をナット部に螺入することにより、支持脚の高さを調節可能としている。
【００２８】
また、上記間仕切りスペースＰに配置した壁受け用支持脚２は、スラブＳ上に台座部21を動かないようにしっかりと固着している。なお本実施例では、床受け用支持脚２の台座部21をスラブＳに接着によって固定しているが、スラブＳにアンカーボルトを打ち込んで台座部21を固着することもできる。
【００２９】
また本実施例では、上記床受け用支持脚に、台座部21の接地面に多数の貫通孔21a・21a…が形成されたものを使用し、貫通孔21a・21a…に接着剤を入り込ませた状態で台座部21とスラブＳを接着している。これによって、壁受け用支持脚２とスラブＳの接着強度をアンカー効果によって高めることができる。
【００３０】
一方、上記ベース板３には、図２に示すように帯板状の部材を用いると共に、長手辺の両側に中央部31よりも厚みの小さい段差部32・32を形成している。また本実施例では、上記ベース板３・３…に、ベース板３の長手方向の一端に、中央部31の段差部32よりも上側のみが突き出した突出部31aを設けると共に、他端に、中央部31を段差部32と同じ厚さにした切欠部31bを設けている。
【００３１】
これにより、上記ベース板３・３…を、間仕切りスペースＰに長手方向或いは直角方向に合决り状に継ぎ合わせて配置することができるため、隣接するベース板３・３同士のズレの発生を抑制することができる。
【００３２】
そして、上記置床ユニット１の床パネル11と、ベース板３の段差部32の上面には、下地パネル４・４…を敷設すると共に、上記下地パネル４と床パネル11及び下地パネル４と段差部32をそれぞれ止着部材Ｎ・Ｎ…で固定している。これにより、ベース板３と置床ユニット１・１…が一体化するため、構造的に安定な二重床システムを構築できる。
【００３３】
また本実施例では、上記止着部材Ｎ・Ｎにビスを使用していることから、固定したビスを取り外すせば、下地パネル４・４…を置床ユニット１やベース板３から簡単に取り外すことができる。よって、リフォーム等で間仕切り壁５・５の位置を変える場合にも、迅速かつ低コストで作業を行える。
【００３４】
一方、上記下地パネル４とベース板３の段差部32を、止着部材Ｎ・Ｎ…で固定する際には、隣接配置されたベース板３・３…の継合箇所に対して、段差部32・32同士の境目を挟む近接した位置に止着部材Ｎ・Ｎを打ち込むことで、ベース板３・３同士をより強固に連結することができる。
【００３５】
そしてまた、本実施例では、上記壁受け用支持脚２・２…を、間仕切りスペースＰにおけるベース板３・３…の継合箇所の真下またはその近傍位置に配置しており、これによってベース板３・３同士の継合箇所に撓み方向の負荷がかかり難くなるため、耐久性が向上する。
【００３６】
なお本実施例では、上記ベース板３の段差部32・32と下地パネル４・４…の間に緩衝材Ａを配設しており、この緩衝材Ａによって下地パネル４・４…から壁受け用支持脚２・２…に伝わる振動等を軽減することができる。
【００３７】
[二重床システムの間仕切り工法]
次に、上記二重床システムの間仕切り工法について以下に説明する。まず最初に、図４に示すように、間仕切りスペースＰに、壁受け用支持脚２・２…を配置して台座部21をスラブＳに固着する。その後、上記壁受け用支持脚２・２…の天板22・22…上にベース板３・３…を継ぎ合わせて載置する。
【００３８】
そして、上記ベース板３・３…を載置した後は、図５に示すように、間仕切りスペースＰを挟むフロアスペースＦ・Ｆに置床ユニット１・１…を敷設していく。なお、先に一方のフロアスペースＦに置床ユニット１・１…を敷設してから、間仕切りスペースＰに壁受け用支持脚２・２…及びベース板３・３…を設置することもできる。
【００３９】
そして更に、上記置床ユニット１・１…の敷設後は、図６に示すように、ほゞ水平に配置された置床ユニット１・１…の床パネル11及び、緩衝材Ａが固定されたベース板３の段差部32の上面に、下地パネル４・４…を敷設する。そして、下地パネル４と床パネル11及び下地パネル４と段差部32をそれぞれ止着部材Ｎ・Ｎ…で固定する。
【００４０】
そして最後に、図７に示すように、上記ベース板３・３…の中央部31上に間仕切り壁５・５を立設すると共に、フローリング材Ｌを下地パネル４・４…上に敷設する。以上のような施工方法を採用することによって、間仕切り壁５・５を有する二重床システムを効率的に施工することができる。
【００４１】
『実施例２』
［二重床システムの間仕切り構造］
まず本発明の実施例２について、図８〜図１０に基いて以下に説明する。この実施例２では、フロアスペースＦ・Ｆに、ゴム座61及び床受け天板62を有する床受け用支持脚６を配置すると共に、際根太Ｊと床受け用支持脚６上に床下地パネル７を敷設して、床下地パネル７と際根太Ｊおよび床下地パネル７と床受け天板62を止着部材Ｎ・Ｎ…で固定している(図８参照)。
【００４２】
また本実施例では、間仕切りスペースＰに、軸方向の剛性が上記床受け用支持脚６よりも大きい壁受け用支持脚２・２…を配置して、実施例１と同様に台座部21とスラブＳを固着している。また、壁受け用支持脚２・２…の天板22・22…上にはベース板３・３…を載置して、ベース板３の段差部32上面と床受け用支持脚６の床受け天板62上面とをほゞ水平に配置している。
【００４３】
そして、上記床受け天板62とベース板３の段差部32の上面に床下地パネル７・７…を敷設して、床下地パネル７と床受け天板62及び床下地パネル７と段差部32をそれぞれ止着部材Ｎ・Ｎ…で固定している。また、上記ベース板３・３…の中央部31上には、実施例１と同様、間仕切り壁５・５を立設している。
【００４４】
[二重床システムの間仕切り工法]
次に、上記二重床システムの間仕切り工法について説明する。まず、図９に示すように間仕切りスペースＰに、壁受け用支持脚２・２…を配置して台座部21とスラブＳを固着すする。そして、壁受け用支持脚２・２…の天板22・22…上にベース板３・３…を継ぎ合わせた状態で載置する。
【００４５】
その後、図１０に示すように、軸方向の剛性が上記床受け用支持脚６よりも大きい壁受け用支持脚２・２…を配置し、ベース板３の段差部32上面と床受け用支持脚６の床受け天板62上面とがほゞ水平になるように配置する。そして、床受け天板62とベース板３の段差部32の上面に床下地パネル７・７…を敷設して、床下地パネル７と床受け天板62及び床下地パネル７と段差部32をそれぞれ止着部材Ｎ・Ｎ…で固定する。
【００４６】
そして最後に、上記ベース板３・３…の中央部31上に、実施例１と同様、間仕切り壁５・５を立設すると共に、フローリング材Ｌを床下地パネル７・７…上に敷設する。以上の施工方法を採用する場合にも、間仕切り壁５・５を有する二重床システムを効率良く施工することができる。
【００４７】
本発明は、概ね上記のように構成されるが、本発明は図示の実施形態に限定されるものでは決してなく、「特許請求の範囲」の記載内において種々の変更が可能であって、例えば、壁受け用支持脚２には、プラスチック材料だけでなく剛性の高い金属材料や複合材料を使用することもできる。
【００４８】
また、上記下地パネル４や床下地パネル７と、床パネル11や床受け天板62、ベース板３とを固定する止着部材Ｎについても、ビスでなく釘等を使用することもでき、上記何れのものも本発明の技術的範囲に属する。
【産業上の利用可能性】
【００４９】
近年、騒音対策や床下配線を目的としてオフィスや一般家庭で二重床システムの導入が進んでいるが、現在の二重床システムは、構造的な安定性や施工性、リフォームの容易性に課題がある。そのような中で、本発明の二重床システムの間仕切り工法は、従来の二重床システムにあった実用上の課題を構造的な工夫によって解消できる有用な技術であるため、その産業上の利用価値は非常に高い。
【符号の説明】
【００５０】
１  置床ユニット
11  床パネル
12  支持脚
12a  ゴム座
２  壁受け用支持脚
21  台座部
21a  貫通孔
22  天板部
23  アジャストボルト
３  ベース板
31  中央部
31a  突出部
31b  切欠部
32  段差部
４  下地パネル
５  間仕切り壁
６  床受け用支持脚
61  ゴム座
62  床受け天板
７  床下地パネル
Ｆ  フロアスペース
Ｐ  間仕切りスペース
Ｓ  スラブ
Ｎ  止着部材
Ａ  緩衝材
Ｊ  際根太
Ｌ  フローリング材
【図１】
2014114657.tif 000003
【図２】
2014114657.tif 000004
【図３】
2014114657.tif 000005
【図４】
2014114657.tif 000006
【図５】
2014114657.tif 000007
【図６】
2014114657.tif 000008
【図７】
2014114657.tif 000009
【図８】
2014114657.tif 000010
【図９】
2014114657.tif 000011
【図１０】
2014114657.tif 000012